(57)【要約】【課題】屋内にいる住民により聴きやすい放送を行うことができる放送信号受信装置を提供する。【解決手段】放送信号受信装置は、受信した放送信号における無音時間を特定し、当該無音時間に基づいて特定した挿入時間に放送信号の注意喚起を促す事前登録データを含めて放送信号に基づく放送を行う。【選択図】図３
2019176219.tif 000002
【特許請求の範囲】
【請求項１】
受信した放送信号における無音時間を特定し、当該無音時間に基づいて特定した挿入時間に前記放送信号の注意喚起を促す事前登録データを含めて前記放送信号に基づく放送を行う放送情報出力部と
を備える放送信号受信装置。
【請求項２】
前記放送情報出力部は、前記放送信号における有音時間の間に発生する無音時間を示す挿入時間に前記事前登録データを含めて前記放送信号に基づく放送を行う
請求項１に記載の放送信号受信装置。
【請求項３】
前記放送信号を記録する放送信号記録部と、を備え、
前記放送情報出力部は、前記放送信号の開始時刻を基準とする前記挿入時間に前記事前登録データを含めて前記放送信号に基づく放送を行う
請求項１に記載の放送信号受信装置。
【請求項４】
前記放送信号を記録する放送信号記録部と、を備え、
前記放送情報出力部は、前記放送信号を受信する受信部から取得した放送信号に基づいて放送を行い、当該放送動作の完了後に、前記放送信号記録部から取得した放送データが示す前記無音時間のデータを削除して有音時間が続く放送を行う
請求項１に記載の放送信号受信装置。
【請求項５】
前記放送情報出力部は、前記放送信号を受信する受信部から取得した前記放送信号に基づいて放送を行う
請求項１に記載の放送信号受信装置。
【請求項６】
前記放送信号を記録する放送信号記録部と、を備え、
前記放送情報出力部は、前記放送信号記録部から取得した放送データに基づいて前記放送を行う
請求項１に記載の放送信号受信装置。
【請求項７】
前記放送信号を受信する受信部から取得した放送信号における前記無音時間の開始と有音時間の開始を検知する検知部と、を備え、
前記放送情報出力部は、前記放送信号を受信する受信部から取得した放送信号における前記無音時間の開始と有音時間の開始までの挿入時間に前記放送信号の注意喚起を促す事前登録データに基づく放送を行う
請求項５または請求項６に記載の放送信号受信装置。
【請求項８】
受信した放送信号における無音時間を特定し、当該無音時間に基づいて特定した挿入時間に前記放送信号の注意喚起を促す事前登録データを含めて前記放送信号に基づく放送を行う
放送方法。
【発明の詳細な説明】
【技術分野】
【０００１】
本発明は、放送信号受信装置、放送方法に関する。
【背景技術】
【０００２】
地域内の各所に設置されたスピーカから防災情報や緊急告知情報を放送して当該情報を地域住民に知らせる無線システムが防災時、緊急時に利用される。当該無線システムから放送する音声は、周囲における音の反響等により地域住民による聴取が困難となることを避ける目的で、放送の開始から終了までの間に所定の無音時間を設けている。例えば防災情報や緊急告知情報の文章を読み上げる音声を放送する際に、文章中の読点により一文の読み上げが終了した時刻から次の一文の読み上げの開始までの時刻の間に無音時間を数秒程度設けることがある。なお防災無線に関する技術が特許文献１に開示されている。
【先行技術文献】
【特許文献】
【０００３】
【特許文献１】特開昭６０−１７３５９４号公報
【発明の概要】
【発明が解決しようとする課題】
【０００４】
しかしながら上述のような無線システムにおいては防災情報や緊急告知情報の文章の読み上げ速度が遅い。従って地域住民のうち屋内にいる住民にはより聴きやすい防災情報や緊急告知情報の放送が求められている。
【０００５】
そこでこの発明は、上述の課題を解決する放送信号受信装置、放送方法を提供することを目的としている。
【課題を解決するための手段】
【０００６】
本発明は、上述の課題を解決すべくなされたもので、受信した放送信号における無音時間を特定し、当該無音時間に基づいて特定した挿入時間に前記放送信号の注意喚起を促す事前登録データを含めて前記放送信号に基づく放送を行う放送情報出力部とを備える放送信号受信装置である。
【０００７】
また本発明は、受信した放送信号における無音時間を特定し、当該無音時間に基づいて特定した挿入時間に前記放送信号の注意喚起を促す事前登録データを含めて前記放送信号に基づく放送を行う放送方法である。
【発明の効果】
【０００８】
本発明によれば、屋内にいる住民により聴きやすい放送を行うことができる。
【図面の簡単な説明】
【０００９】
【図１】本発明の第１の実施形態による防災無線システムの構成を示すブロック図である。
【図２】本発明の第１の実施形態による放送信号受信装置のハードウェア構成図である。
【図３】本発明の第１の実施形態による放送信号受信装置の機能ブロック図である。
【図４】本発明の第１の実施形態による放送信号受信装置が放送する内容の一例を示す図である。
【図５】本発明の第１の実施形態による放送信号受信装置の処理フローを示す図である。
【図６】本発明の第２の実施形態による放送信号受信装置が放送する内容の一例を示す図である。
【図７】本発明の第２の実施形態による放送信号受信装置の処理フローを示す図である。
【図８】本発明の第３の実施形態による放送信号受信装置が放送する内容の一例を示す図である。
【図９】本発明の第３の実施形態による放送信号受信装置の処理フローを示す図である。
【図１０】本発明の第４の実施形態による放送信号受信装置が放送する内容の一例を示す図である。
【図１１】本発明の第４の実施形態による放送信号受信装置の処理フローを示す図である。
【図１２】本発明による放送信号受信装置の最小構成を示す図である。
【発明を実施するための形態】
【００１０】
以下、本発明について図面を参照して説明する。
【００１１】
（第１の実施形態）
まず、第１の実施形態について説明する。
図１は、同実施形態による防災無線システム１００の構成を示すブロック図である。
図示するように、防災無線システム１００は、放送信号受信装置１と、親局無線装置２が無線通信接続されて構成される。防災無線システム１００は、親局無線装置２が送信した放送信号を放送信号受信装置１が受信し、受信した放送信号に基づいて放送を行うシステムである。放送内容は、例えば音声による防災情報や緊急告知情報等である。
【００１２】
放送信号受信装置１は、各家庭や事業所などに設置される戸別受信機である。放送信号受信装置１は、親局無線装置２から受信した放送信号に基づく放送を行う。
親局無線装置２は、例えば自治体等の地域毎に設置されるコンピュータである。親局無線装置２は、操作卓からの放送信号の受信に基づいて、自身の配下に繋がる放送信号受信装置１に放送信号を転送する。
【００１３】
図２は、同実施形態による放送信号受信装置１のハードウェア構成図である。
この図が示すように放送信号受信装置１はＣＰＵ（Central Processing Unit）１０１、ＲＯＭ（Read Only Memory）１０２、ＲＡＭ（Random Access Memory）１０３、大容量記憶装置１０４、通信モジュール１０５、スピーカ１０６等の各ハードウェアを備えたコンピュータである。
【００１４】
図３は、同実施形態による放送信号受信装置１の機能ブロック図である。
放送信号受信装置１は電源が投入されると起動し、予め記憶するプログラムを実行する。これにより放送信号受信装置１には、制御部１１、記憶部１２、受信部１３、音声出力部１４の機能構成を備える。
【００１５】
制御部１１は、放送信号受信装置１を統括して制御する。制御部１１は、放送信号制御部１１１と、放送情報出力部１１２と、検知部１１３とを備える。
放送信号制御部１１１は、受信部１３が受信した放送信号を記憶部１２の放送信号記録部１２２に書き込む。
【００１６】
放送情報出力部１１２は、放送信号を記録する放送信号記録部１２２から取得した放送データに基づいて放送を行う。具体的には、放送情報出力部１１２は、受信した放送信号における無音時間を特定し、当該無音時間に基づいて特定した挿入時間に放送信号の注意喚起を促す事前登録データを含めて放送信号に基づく放送を行う。例えば、放送情報出力部１１２は、放送信号における有音時間の間に発生する無音時間を示す挿入時間に事前登録データを含めて放送信号に基づく放送を行う。より具体的には、放送情報出力部１１２は、検知部１１３が検知した放送信号における無音時間の開始と有音時間の開始までの挿入時間に放送信号の注意喚起を促す事前登録データに基づく放送を行う。
検知部１１３は、受信部１３から取得した放送信号における無音時間の開始と有音時間の開始を検知する。なお、放送情報出力部１１２は一例としては、音声認識エンジンを利用して、入力された音声データから無音時間を特定する。放送情報出力部１１２は、特定した無音区間のうち長さが閾値以上の無音時間を更に特定し、この長さが閾値以上の無音時間についてのみ、事前登録データに基づく放送の挿入時間と判定する。
【００１７】
記憶部１２は、種々の情報を記憶する。記憶部１２は、事前登録データ記憶部１２１と、放送信号記録部１２２とを備える。
事前登録データ記憶部１２１は、放送信号の注意喚起を促す事前登録データを記憶する。事前登録データは、例えば、ブザー音やサイレン音や呼びかけ音、放送信号受信装置１の所有者の氏名等である。
放送信号記録部１２２は、受信部１３が受信した放送信号を記録する。
【００１８】
受信部１３は、放送信号を受信する。
音声出力部１４は、音声を出力して放送を行う。
【００１９】
続いて、同実施形態による放送信号受信装置１の動作について説明する。
図４は、同実施形態による放送信号受信装置１が放送する内容の一例を示す図である。同図における横軸は時間を示す。
【００２０】
図４（Ａ）は、放送信号受信装置１が受信した放送信号が示す放送内容の一例である。本例では、放送信号は、文Ａ「緊急地震速報」、文Ａの後に無音時間ｔ１、無音時間ｔ１の後に文Ｂ「地震が来ます」、文Ｂの後に無音時間ｔ２、無音時間ｔ２の後に文Ｃ「ご注意ください」を含む。文Ａの開始時刻ＴＳから文Ｃの終了時刻ＴＥまでの時間が放送時間ｂｔである。
【００２１】
文（音の有る有音時間）の間にある無音時間は、屋外で周囲における音の反響等により地域住民による聴取が困難となることを避けることを目的として設けられている。しかしながら、屋内に設置されている放送信号受信装置１にはこの無音時間は不要である。よって、同実施形態による放送信号受信装置１は、無音時間にブザー音等の事前登録データを音声出力して、周囲にいる住人に注意喚起を促す。
【００２２】
すなわち、放送信号受信装置１の放送情報出力部１１２は、検知部１１３が検知した放送信号における無音時間の開始と有音時間の開始までの挿入時間に放送信号の注意喚起を促す事前登録データに基づく放送を行う。なお、事前登録データに基づく放送は、無音時間の開始から有音時間の開始までの挿入時間内に行われていればよく、挿入時間より短くてもよい。また、放送情報出力部１１２は、挿入時間が所定の閾値より短い場合には、事前登録データを音声出力せずに無音のまま放送してもよい。
【００２３】
図４（Ｂ）は、放送信号受信装置１が放送信号に基づいて放送する放送内容の一例である。放送信号受信装置１は、図４（Ａ）に示す放送内容の放送信号に基づいて、文Ａ「緊急地震速報」、無音時間ｔ１に事前登録データ、文Ｂ「地震が来ます」、無音時間ｔ２に事前登録データ、文Ｃ「ご注意ください」を順に放送する。このとき放送する事前登録データは、例えばブザー音である。
【００２４】
これにより、文と文の間にある無音時間を有効活用して周囲にいる住人に注意喚起を促すことができる。また、事前登録データに基づく放送を無音時間に行っているため、放送信号の示す放送終了時刻ＴＥに全ての放送を終了することができる。
【００２５】
図５は、同実施形態による放送信号受信装置１の処理フローを示す図である。
（ステップＳ１０１）受信部１３は、放送信号を受信する。その後、放送信号の受信に基づいて、放送信号制御部１１１と放送情報出力部１１２とが並列に処理を実行する。
【００２６】
まず、放送信号制御部１１１が実行する記録処理について説明する。
（ステップＳ１０２）放送信号制御部１１１は、受信部１３における放送信号の受信に基づいて、受信部１３が受信した放送信号の記録を開始する。具体的には、放送信号制御部１１１は、放送信号が示す放送内容を放送信号記録部１２２に順次録音する。その後、ステップＳ１０３の処理に進む。
【００２７】
（ステップＳ１０３）放送信号制御部１１１は、放送の終了を検知したか否かを判定する。例えば、放送信号制御部１１１は、放送信号に含まれるデータに基づいて放送の終了を検知する。放送の終了を検知したと放送信号制御部１１１が判定した場合（ステップＳ１０３：ＹＥＳ）には、ステップＳ１０４の処理に進む。また、放送の終了を検知していないと放送信号制御部１１１が判定した場合（ステップＳ１０３：ＮＯ）には、ステップＳ１０３の処理を再度実行する。
【００２８】
（ステップＳ１０４）放送信号制御部１１１は、放送信号の記録を終了する。その後、処理を終了する。
【００２９】
続いて、放送情報出力部１１２が実行する放送処理について説明する。
（ステップＳ１１１）放送情報出力部１１２は、受信部１３における放送信号の受信に基づいて、音声出力部１４のスピーカをオンにする。その後、ステップＳ１１２の処理に進む。
【００３０】
（ステップＳ１１２）放送情報出力部１１２は、放送データの音声出力を開始する。放送情報出力部１１２は、放送信号の記録が終了する前にその記録が開始された直後から音声出力の処理を開始してよい。放送データは、放送信号記録部１２２に録音された放送内容の音声データである。放送情報出力部１１２は、放送信号記録部１２２に記録された放送データを順次読み出し、読み出した放送データを音声出力部１４に音声出力させる。その後、ステップＳ１１３の処理に進む。
（ステップＳ１１３）放送情報出力部１１２は、放送データにおいて無音時間が開始したか否かを判定する。無音時間の開始は、検知部１１３が検知する。無音時間が開始したと放送情報出力部１１２が判定した場合（ステップＳ１１３：ＹＥＳ）には、ステップＳ１１４の処理に進む。また、無音時間が開始していないと放送情報出力部１１２が判定した場合（ステップＳ１１３：ＮＯ）には、ステップＳ１１６の処理に進む。
【００３１】
（ステップＳ１１４）放送情報出力部１１２は、ブザー音を示す事前登録データを事前登録データ記憶部１２１から読み出し、読み出した事前登録データを音声出力部１４から音声出力する。その後、ステップＳ１１５の処理に進む。
（ステップＳ１１５）放送情報出力部１１２は、放送データにおいて有音時間が開始したか否かを判定する。有音時間の開始は、検知部１１３が検知する。有音時間が開始したと放送情報出力部１１２が判定した場合（ステップＳ１１５：ＹＥＳ）には、ステップＳ１１６の処理に進む。また、有音時間が開始していないと放送情報出力部１１２が判定した場合（ステップＳ１１５：ＮＯ）には、ステップＳ１１４の処理に戻る。
【００３２】
（ステップＳ１１６）放送情報出力部１１２は、放送信号記録部１２２に記録された放送データを音声出力部１４から音声出力する。その後、ステップＳ１１７の処理に進む。
（ステップＳ１１７）放送情報出力部１１２は、放送データの放送が終了したか否かを判定する。放送が終了したと放送情報出力部１１２が判定した場合（ステップＳ１１７：ＹＥＳ）には、ステップＳ１１８の処理に進む。また、放送が終了していないと放送情報出力部１１２が判定した場合（ステップＳ１１７：ＮＯ）には、ステップＳ１１３の処理に戻る。
【００３３】
（ステップＳ１１８）放送情報出力部１１２は、音声出力部１４のスピーカをオフにする。その後、処理を終了する。
【００３４】
なお、同実施形態では、放送信号制御部１１１が放送信号記録部１２２に放送信号を記録し、記録した放送データに基づいて放送情報出力部１１２が放送を行っているが、これに限らず、受信した放送信号を記録せずに放送してもよい。この場合には、放送情報出力部１１２は、受信部１３から取得した放送信号に基づいて放送を行う。
【００３５】
上述したとおり、同実施形態における放送信号受信装置１は、受信した放送信号における無音時間を特定し、当該無音時間に基づいて特定した挿入時間に放送信号の注意喚起を促す事前登録データを含めて前記放送信号に基づく放送を行う放送情報出力部１１２とを備える。放送情報出力部１１２は、放送信号における有音時間の間に発生する無音時間を示す挿入時間に事前登録データを含めて前記放送信号に基づく放送を行う。
【００３６】
このような構成により、放送信号受信装置１は、放送信号における無音時間を利用してブザー音等を放送することができる。よって、放送時間に影響なく、無音時間を有効活用して住人に注意喚起を促すことができる。これにより、屋内にいる住民により聴きやすい放送を行うことができる。
【００３７】
また、放送信号受信装置１は、放送信号を受信する受信部１３から取得した放送信号における無音時間の開始と有音時間の開始を検知する検知部１１３と、を備え、放送情報出力部１１２は、放送信号を受信する受信部１３から取得した放送信号における無音時間の開始と有音時間の開始までの挿入時間に放送信号の注意喚起を促す事前登録データに基づく放送を行う。このような構成により、事前登録データに基づく放送が有音時間にかかり本来の放送内容が聴き取れなくなることを防ぐことができる。
【００３８】
（第２の実施形態）
次に、第２の実施形態について説明する。
同実施形態における防災無線システム１００及び放送信号受信装置１の構成は、第１の実施形態と同様であるため、その説明を省略する。
【００３９】
放送信号受信装置１は、第１の実施形態では、無音時間にブザー音等の事前登録データを放送しているが、同実施形態では、冒頭に事前登録データを放送する。つまり、放送情報出力部１１２は、放送信号の開始時刻を基準とする挿入時間に事前登録データを含めて放送信号に基づく放送を行う。
【００４０】
図６は、同実施形態による放送信号受信装置１が放送する内容の一例を示す図である。同図における横軸は時間を示す。
【００４１】
図６（Ａ）は、放送信号受信装置１が受信した放送信号が示す放送内容の一例である。本例では、放送信号は、文Ａ「緊急地震速報」、文Ａの後に無音時間ｔ１、無音時間ｔ１の後に文Ｂ「地震が来ます」、文Ｂの後に無音時間ｔ２、無音時間ｔ２の後に文Ｃ「ご注意ください」を含む。文Ａの開始時刻ＴＳから文Ｃの終了時刻ＴＥまでの時間が放送時間ｂｔである。
【００４２】
同実施形態による放送信号受信装置１は、無音時間ｔ１及び無音時間ｔ２の合計時間に対応する事前登録データを冒頭に放送し、その後、無音時間を設けずに文を続けて放送する。このとき放送する事前登録データは、ブザー音やサイレン音であってもよいし、呼びかけ音（例えば、所有者の氏名を呼びかけるもの）等であってもよい。すなわち、放送信号受信装置１の放送情報出力部１１２は、放送信号の開始時刻ＴＳを基準とする挿入時間に事前登録データを含めて放送信号に基づく放送を行う。なお、事前登録データに基づく放送は、放送信号の開始時刻ＴＳから無音時間の合計時間（ｔ１＋ｔ２）経過するまでの挿入時間内に行われればよく、挿入時間より短くてもよい。
【００４３】
ここで、放送信号受信装置１は、放送信号に含まれる無音時間の合計時間（以下、「合計無音時間」とする。）の長さに応じて、冒頭に放送する事前登録データを決定する。具体的には、放送信号受信装置１は、合計無音時間の長さに対する閾値を１又は複数設けて冒頭に放送する事前登録データを変更する。例えば、放送信号受信装置１は、合計無音時間の長さが所定の閾値より大きい場合には所有者の氏名を呼びかける音を冒頭に放送し、合計無音時間の長さが当該閾値以下である場合にはブザー音やサイレン音を冒頭に放送してもよい。
【００４４】
図６（Ｂ）は、放送信号受信装置１が放送信号に基づいて放送する放送内容の一例である。放送信号受信装置１は、図６（Ａ）に示す放送内容の放送信号に基づいて、ｔ１＋ｔ２時間に対応する事前登録データ、文Ａ「緊急地震速報」、文Ｂ「地震が来ます」、文Ｃ「ご注意ください」を順に放送する。
【００４５】
これにより、無音時間を設けることなく文を続けて放送することができる。よって、屋内にいる住人に聴きやすい放送を行うことができる。また、冒頭にブザー音やサイレン音や呼びかけ音を放送することで、放送に対して注意を向けるよう周囲の住人に促すことができる。例えば、冒頭に氏名を呼びかけた後に放送内容を放送することで、緊急通報等の重要度の高い放送に気付きやすくし、迅速な避難を促し、避難するまでの時間を短縮することができる。また、冒頭に全ての無音時間を合わせた時間の事前登録データを放送しているため、放送信号の示す放送終了時刻ＴＥに、全ての放送を終了することができる。
【００４６】
図７は、同実施形態による放送信号受信装置１の処理フローを示す図である。
（ステップＳ２０１）受信部１３は、放送信号を受信する。その後、放送信号の受信に基づいて、放送信号制御部１１１と放送情報出力部１１２とが並列に処理を実行する。
【００４７】
まず、放送信号制御部１１１が実行する記録処理について説明する。
（ステップＳ２０２）放送信号制御部１１１は、受信部１３における放送信号の受信に基づいて、受信部１３が受信した放送信号の記録を開始する。具体的には、放送信号制御部１１１は、放送信号の放送内容を放送信号記録部１２２に順次録音する。その後、ステップＳ２０３の処理に進む。
【００４８】
（ステップＳ２０３）放送信号制御部１１１は、放送の終了を検知したか否かを判定する。例えば、放送信号制御部１１１は、放送信号に含まれるデータに基づいて放送の終了を検知する。放送の終了を検知したと放送信号制御部１１１が判定した場合（ステップＳ２０３：ＹＥＳ）には、ステップＳ２０４の処理に進む。また、放送の終了を検知していないと放送信号制御部１１１が判定した場合（ステップＳ２０３：ＮＯ）には、ステップＳ２０３の処理を再度実行する。
【００４９】
（ステップＳ２０４）放送信号制御部１１１は、放送信号の記録を終了する。その後、処理を終了する。
【００５０】
続いて、放送情報出力部１１２が実行する放送処理について説明する。
（ステップＳ２１１）放送情報出力部１１２は、受信部１３における放送信号の受信に基づいて、音声出力部１４のスピーカをオンにする。その後、ステップＳ２１２の処理に進む。
【００５１】
（ステップＳ２１２）放送情報出力部１１２は、放送データにおける無音時間の合計時間を算出する。具体的には、放送情報出力部１１２は、検知部１１３が検知した放送信号における無音時間の開始から有音時間の開始までの時間の合計時間を算出する。或いは、放送情報出力部１１２は、過去に受信した放送信号に基づいて学習した時間を放送データにおける合計無音時間としてもよい。例えば、放送情報出力部１１２は、過去に受信した放送信号における合計無音時間の平均値を、放送データにおける合計無音時間としてもよい。或いは、放送情報出力部１１２は、予め設定された時間を放送データにおける合計無音時間としてもよい。その後、ステップＳ２１３の処理に進む。
【００５２】
（ステップＳ２１３）放送情報出力部１１２は、算出した合計無音時間に応じて放送する事前登録データを決定し、決定した事前登録データを音声出力部１４に音声出力させる。その後、ステップＳ２１４の処理に進む。
（ステップＳ２１４）放送情報出力部１１２は、放送信号記録部１２２に記録された放送データを読み出し、読み出した放送データから無音時間を削除して音声出力部１４に出力させる。その後、ステップＳ２１５の処理に進む。
（ステップＳ２１５）放送情報出力部１１２は、音声出力部１４のスピーカをオフにする。その後、処理を終了する。
【００５３】
上述したとおり、同実施形態における放送信号受信装置１は、受信した放送信号を記録する放送信号記録部１２２と、受信した放送信号における無音時間を特定し、当該無音時間に基づいて特定した挿入時間に放送信号の注意喚起を促す事前登録データを含めて前記放送信号に基づく放送を行う放送情報出力部１１２とを備える。放送情報出力部１１２は、放送信号の開始時刻を基準とする挿入時間に事前登録データを含めて放送信号に基づく放送を行う。
【００５４】
このような構成により、放送信号受信装置１は、放送信号における無音時間の長さに応じたブザー音やサイレン音や呼びかけ音等を冒頭に放送することができる。よって、放送時間に影響なく、無音時間を有効活用して住人に注意喚起を促すことができる。これにより、屋内にいる住民により聴きやすい放送を行うことができる。
【００５５】
（第３の実施形態）
次に、第３の実施形態について説明する。
同実施形態における防災無線システム１００及び放送信号受信装置１の構成は、第１の実施形態と同様であるため、その説明を省略する。
【００５６】
放送信号受信装置１は、第１の実施形態では、無音時間にブザー音等の事前登録データを放送しているが、同実施形態では、通常の放送後に無音時間を削除して有音時間が続く放送を行う。つまり、放送情報出力部１１２は、受信部１３から取得した放送信号に基づいて放送を行い、当該放送動作の完了後に、放送信号記録部１２２から取得した放送データが示す無音時間のデータを削除して有音時間が続く放送を行う。
【００５７】
図８は、同実施形態による放送信号受信装置１が放送する内容の一例を示す図である。同図における横軸は時間を示す。
【００５８】
図８（Ａ）は、放送信号受信装置１が受信した放送信号が示す放送内容の一例である。本例では、放送信号は、文Ａ「緊急地震速報」、文Ａの後に無音時間ｔ１、無音時間ｔ１の後に文Ｂ「地震が来ます」、文Ｂの後に無音時間ｔ２、無音時間ｔ２の後に文Ｃ「ご注意ください」を含む。文Ａの開始時刻ＴＳから文Ｃの終了時刻ＴＥまでの時間が放送時間ｂｔである。
【００５９】
同実施形態による放送信号受信装置１は、受信した放送信号が示す放送内容を無音時間を含めてそのまま放送した後、無音時間を削除してその放送内容を再度放送する。すなわち、放送信号受信装置１の放送情報出力部１１２は、受信部１３から取得した放送信号に基づいて放送を行い、当該放送動作の完了後に、放送信号記録部１２２から取得した放送データが示す無音時間のデータを削除して有音時間が続く放送を行う。
【００６０】
図８（Ｂ）は、放送信号受信装置１が放送信号に基づいて放送する放送内容の一例である。放送信号受信装置１は、図８（Ａ）に示す放送内容の放送信号に基づいて、文Ａ「緊急地震速報」、無音時間ｔ１、文Ｂ「地震が来ます」、無音時間ｔ２、文Ｃ「ご注意ください」を順に放送した後に、文Ａ「緊急地震速報」、文Ｂ「地震が来ます」、文Ｃ「ご注意ください」を続けて放送する。
【００６１】
これにより、通常の放送の後に、無音時間を削除した同じ放送内容を再度放送することができる。このように、同じ内容を複数回放送しているため、聞き逃しを防ぎ情報の伝達漏れを防ぐことができる。また、２回目の放送は無音時間を削除しているため、屋内にいる人に聴きやすい放送を行うことができる。また、最初の放送は放送信号が示す放送内容をそのまま放送しているため、放送信号の示す放送終了時刻ＴＥに最初の放送を終了することができる。
【００６２】
なお、放送信号が示す放送は、屋外にいる人が聞き取り易いように文章の読み上げ速度が遅いことが多い。そのため、放送信号受信装置１は、２回目の放送の再生速度を放送信号が示す速度より早くしてもよい。
【００６３】
図９は、同実施形態による放送信号受信装置１の処理フローを示す図である。
（ステップＳ３０１）受信部１３は、放送信号を受信する。その後、放送信号の受信に基づいて、放送信号制御部１１１と放送情報出力部１１２とが並列に処理を実行する。
【００６４】
まず、放送信号制御部１１１が実行する記録処理について説明する。
（ステップＳ３０２）放送信号制御部１１１は、受信部１３における放送信号の受信に基づいて、受信部１３が受信した放送信号の記録を開始する。具体的には、放送信号制御部１１１は、放送信号の放送内容を放送信号記録部１２２に順次録音する。その後、ステップＳ３０３の処理に進む。
【００６５】
（ステップＳ３０３）放送信号制御部１１１は、放送の終了を検知したか否かを判定する。例えば、放送信号制御部１１１は、放送信号に含まれるデータに基づいて放送の終了を検知する。放送の終了を検知したと放送信号制御部１１１が判定した場合（ステップＳ３０３：ＹＥＳ）には、ステップＳ３０４の処理に進む。また、放送の終了を検知していないと放送信号制御部１１１が判定した場合（ステップＳ３０３：ＮＯ）には、ステップＳ３０３の処理を再度実行する。
【００６６】
（ステップＳ３０４）放送信号制御部１１１は、放送信号の記録を終了する。その後、処理を終了する。
【００６７】
続いて、放送情報出力部１１２が実行する放送処理について説明する。
（ステップＳ３１１）放送情報出力部１１２は、受信部１３における放送信号の受信に基づいて、音声出力部１４のスピーカをオンにする。その後、ステップＳ３１２の処理に進む。
【００６８】
（ステップＳ３１２）放送情報出力部１１２は、受信部１３から取得した放送信号に基づいて音声出力部１４に音声出力させる。その後、ステップＳ３１３の処理に進む。
【００６９】
（ステップＳ３１３）放送情報出力部１１２は、放送信号記録部１２２から放送データを読み出し、読み出した放送データから無音時間を削除して音声出力部１４に出力させる。その後、ステップＳ３１４の処理に進む。
（ステップＳ３１４）放送情報出力部１１２は、音声出力部１４のスピーカをオフにする。その後、処理を終了する。
【００７０】
なお、同実施形態では、放送信号受信装置１は、同じ放送内容を２回放送しているが、放送する回数は２回に限らず、２回以上繰り返し放送してもよい。例えば、放送信号受信装置１は、無音時間を削除した放送を複数回繰り返してもよい。
【００７１】
また、同実施形態では、放送信号受信装置１は、最初の放送で放送信号が示す放送内容をそのまま放送しているが、これに限らない。例えば、放送信号受信装置１は、第１の実施形態のように、無音時間に事前登録データを挿入して最初の放送を行ってもよい。或いは、第２の実施形態のように、冒頭に事前登録データを挿入して有音時間が続く最初の放送を行ってもよい。
【００７２】
或いは、放送信号受信装置１は、最初の放送も後の放送と同様に無音時間を削除して放送してもよい。この場合には、放送信号受信装置１は、放送終了時刻ＴＥまでに全ての放送が終わるように、複数の放送のうち一部或いは全部の再生速度を速くするようにしてもよい。
【００７３】
上述したとおり、同実施形態における放送信号受信装置１は、受信した放送信号を記録する放送信号記録部１２２と、受信した放送信号における無音時間を特定し、当該無音時間に基づいて特定した挿入時間に放送信号の注意喚起を促す事前登録データを含めて前記放送信号に基づく放送を行う放送情報出力部１１２とを備える。放送情報出力部１１２は、放送信号を受信する受信部１３から取得した放送信号に基づいて放送を行い、当該放送動作の完了後に、放送信号記録部１２２から取得した放送データが示す無音時間のデータを削除して有音時間が続く放送を行う。
【００７４】
このような構成により、放送信号受信装置１は、放送信号が示す通常の放送の後に、無音時間を削除した同じ内容の放送を行うことができる。よって、放送時間に影響なく繰り返し同じ内容を放送することができるため、情報の伝達漏れを防ぐことができる。これにより、屋内にいる住民により聴きやすい放送を行うことができる。
【００７５】
（第４の実施形態）
次に、第４の実施形態について説明する。
同実施形態における防災無線システム１００及び放送信号受信装置１の構成は、第１の実施形態と同様であるため、その説明を省略する。
【００７６】
放送信号受信装置１は、第１の実施形態では、無音時間にブザー音等の事前登録データを放送しているが、同実施形態では、さらに、通常の放送後に無音時間を削除して有音時間が続く放送を行う。つまり、放送情報出力部１１２は、受信部１３から取得した放送信号に基づいて実施形態１と同様に放送を行い、当該放送動作の完了後に、放送信号記録部１２２から取得した放送データが示す無音時間のデータを削除して有音時間が続く放送を行う。
【００７７】
図１０は、同実施形態による放送信号受信装置１が放送する内容の一例を示す図である。同図における横軸は時間を示す。
【００７８】
図１０（Ａ）は、放送信号受信装置１が受信した放送信号が示す放送内容の一例である。本例では、放送信号は、文Ａ「緊急地震速報」、文Ａの後に無音時間ｔ１、無音時間ｔ１の後に文Ｂ「地震が来ます」、文Ｂの後に無音時間ｔ２、無音時間ｔ２の後に文Ｃ「ご注意ください」、文Ｃの後に無音時間ｔ３を含む。文Ａの開始時刻ＴＳから文Ｃの終了時刻ＴＥまでの時間が放送時間ｂｔである。
【００７９】
同実施形態による放送信号受信装置１は、受信した放送信号が示す放送内容に基づいて実施形態１と同様に放送した後、無音時間とブザー音等を示す事前登録データを削除してその放送内容を再度放送する。すなわち、放送信号受信装置１の放送情報出力部１１２は、実施形態１と同様の放送を行い、当該放送動作の完了後に、放送信号記録部１２２から取得した放送データが示す無音時間のデータを削除して有音時間が続く放送を行う。
【００８０】
図１０（Ｂ）は、放送信号受信装置１が放送信号に基づいて放送する放送内容の一例である。放送信号受信装置１は、図１０（Ａ）に示す放送内容の放送信号に基づいて、文Ａ「緊急地震速報」、事前登録データに基づくブザー音時間ｔ１、文Ｂ「地震が来ます」、事前登録データに基づくブザー音時間ｔ２、文Ｃ「ご注意ください」を順に放送した後に、文Ａ「緊急地震速報」、文Ｂ「地震が来ます」、文Ｃ「ご注意ください」を続けて放送する。
【００８１】
これにより、文と文の間にある無音時間を有効活用して周囲にいる住人に注意喚起を促すことができ、かつ通常の放送の後に、無音時間を削除した同じ放送内容を再度放送することができる。このように、同じ内容を複数回放送しているため、聞き逃しを防ぎ情報の伝達漏れを防ぐことができる。また、２回目の放送は無音時間を削除して注意喚起を示すデータ等を挿入していないため、屋内にいる人に聴きやすい放送を行うことができる。また、最初の放送は放送信号が示す放送内容をそのまま放送しているため、放送信号の示す放送終了時刻ＴＥに最初の放送を終了することができる。
【００８２】
なお、放送信号が示す放送は、屋外にいる人が聞き取り易いように文章の読み上げ速度が遅いことが多い。そのため、放送信号受信装置１は、２回目の放送の再生速度を放送信号が示す速度より早くしてもよい。
【００８３】
図１１は、同実施形態による放送信号受信装置１の処理フローを示す図である。
（ステップＳ４０１）受信部１３は、放送信号を受信する。その後、放送信号の受信に基づいて、放送信号制御部１１１と放送情報出力部１１２とが並列に処理を実行する。
【００８４】
まず、放送信号制御部１１１が実行する記録処理について説明する。
（ステップＳ４０２）放送信号制御部１１１は、受信部１３における放送信号の受信に基づいて、受信部１３が受信した放送信号の記録を開始する。具体的には、放送信号制御部１１１は、放送信号が示す放送内容を放送信号記録部１２２に順次録音する。その後、ステップＳ４０３の処理に進む。
【００８５】
（ステップＳ４０３）放送信号制御部１１１は、放送の終了を検知したか否かを判定する。例えば、放送信号制御部１１１は、放送信号に含まれるデータに基づいて放送の終了を検知する。放送の終了を検知したと放送信号制御部１１１が判定した場合（ステップＳ４０３：ＹＥＳ）には、ステップＳ４０４の処理に進む。また、放送の終了を検知していないと放送信号制御部１１１が判定した場合（ステップＳ４０３：ＮＯ）には、ステップＳ４０３の処理を再度実行する。
【００８６】
（ステップＳ４０４）放送信号制御部１１１は、放送信号の記録を終了する。その後、処理を終了する。
【００８７】
続いて、放送情報出力部１１２が実行する放送処理について説明する。
（ステップＳ４１１）放送情報出力部１１２は、受信部１３における放送信号の受信に基づいて、音声出力部１４のスピーカをオンにする。その後、ステップＳ４１２の処理に進む。
【００８８】
（ステップＳ４１２）放送情報出力部１１２は、放送データの音声出力を開始する。放送情報出力部１１２は、放送信号の記録が終了する前にその記録が開始された直後から音声出力の処理を開始してよい。放送データは、放送信号記録部１２２に録音された放送内容の音声データである。放送情報出力部１１２は、放送信号記録部１２２に記録された放送データを順次読み出し、読み出した放送データを音声出力部１４に音声出力させる。その後、ステップＳ４１３の処理に進む。
（ステップＳ４１３）放送情報出力部１１２は、放送データにおいて無音時間が開始したか否かを判定する。無音時間の開始は、検知部１１３が検知する。無音時間が開始したと放送情報出力部１１２が判定した場合（ステップＳ４１３：ＹＥＳ）には、ステップＳ４１４の処理に進む。また、無音時間が開始していないと放送情報出力部４１２が判定した場合（ステップＳ４１３：ＮＯ）には、ステップＳ４１６の処理に進む。
【００８９】
（ステップＳ４１４）放送情報出力部１１２は、ブザー音を示す事前登録データを事前登録データ記憶部１２１から読み出し、読み出した事前登録データを音声出力部１４から音声出力する。その後、ステップＳ４１５の処理に進む。
（ステップＳ４１５）放送情報出力部１１２は、放送データにおいて有音時間が開始したか否かを判定する。有音時間の開始は、検知部１１３が検知する。有音時間が開始したと放送情報出力部１１２が判定した場合（ステップＳ４１５：ＹＥＳ）には、ステップＳ４１６の処理に進む。また、有音時間が開始していないと放送情報出力部１１２が判定した場合（ステップＳ４１５：ＮＯ）には、ステップＳ４１４の処理に戻る。
【００９０】
（ステップＳ４１６）放送情報出力部１１２は、放送信号記録部１２２に記録された放送データを音声出力部１４から音声出力する。その後、ステップＳ４１７の処理に進む。
（ステップＳ４１７）放送情報出力部１１２は、最終の有音時間が終了したか否かを判定する。
（ステップＳ４１８）放送情報出力部１１２は、最終の有音時間が終了した場合には、既に放送した放送信号記録部１２２に記録された放送データを順次読み出し、読み出した放送データを音声出力部１４に繰り返し音声出力させる。放送情報出力部１１２は、最終の有音時間が終了していない場合（ステップＳ４１８：ＮＯ）には、ステップＳ４１６の処理に戻る。
（ステップＳ４１９）放送情報出力部１１２は、放送データの放送が終了したか否かを判定する。放送が終了したと放送情報出力部１１２が判定した場合（ステップＳ４１９：ＹＥＳ）には、ステップＳ４２０の処理に進む。また、放送が終了していないと放送情報出力部１１２が判定した場合（ステップＳ４１９：ＮＯ）には、ステップＳ４１３の処理に戻る。
【００９１】
（ステップＳ４２０）放送情報出力部１１２は、音声出力部１４のスピーカをオフにする。その後、処理を終了する。
【００９２】
なお、同実施形態では、放送信号制御部１１１が放送信号記録部１２２に放送信号を記録し、記録した放送データに基づいて放送情報出力部１１２が放送を行っているが、これに限らず、受信した放送信号を記録せずに放送してもよい。この場合には、放送情報出力部１１２は、受信部１３から取得した放送信号に基づいて放送を行う。
【００９３】
上述したとおり、同実施形態における放送信号受信装置１は、受信した放送信号における無音時間を特定し、当該無音時間に基づいて特定した挿入時間に放送信号の注意喚起を促す事前登録データを含めて前記放送信号に基づく放送を行う放送情報出力部１１２とを備える。放送情報出力部１１２は、放送信号における有音時間の間に発生する無音時間を示す挿入時間に事前登録データを含めて前記放送信号に基づく放送を行う。さらに放送信号受信装置１は放送における最終有音時間が終了した後に無音時間が続く場合に、その無音時間において繰り返しの放送を行うことができる。
【００９４】
このような構成により、放送信号受信装置１は、放送信号における無音時間を利用してブザー音等を放送することができる。また放送信号受信装置１は、繰り返し同じ内容を放送することができるため、情報の伝達漏れを防ぐことができる。これにより、屋内にいる住民により聴きやすい放送を行うことができる。
【００９５】
図１２は、本発明による放送信号受信装置１の最小構成を示す図である。放送信号受信装置１は少なくとも放送情報出力部１１２の構成を備えればよい。
放送情報出力部１１２は、受信した放送信号における無音時間を特定し、当該無音時間に基づいて特定した挿入時間に放送信号の注意喚起を促す事前登録データを含めて放送信号に基づく放送を行う。
【００９６】
上述の放送信号受信装置１は内部に、コンピュータシステムを有している。そして、上述した放送信号受信装置１の処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００９７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００９８】
以上、本発明の実施形態について説明したが、本発明は、上記実施形態に限定されるものではなく、本発明の趣旨を逸脱しない範囲において種々の変更を加えることが可能である。
【００９９】
また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【符号の説明】
【０１００】
１・・・放送信号受信装置
２・・・親局無線装置
１１・・・制御部
１２・・・記憶部
１３・・・受信部
１４・・・音声出力部
１００・・・防災無線システム
１１１・・・放送信号制御部
１１２・・・放送情報出力部
１１３・・・検知部
１２１・・・事前登録データ記憶部
１２２・・・放送信号記録部
【図１】
2019176219.tif 000003
【図２】
2019176219.tif 000004
【図３】
2019176219.tif 000005
【図４】
2019176219.tif 000006
【図５】
2019176219.tif 000007
【図６】
2019176219.tif 000008
【図７】
2019176219.tif 000009
【図８】
2019176219.tif 000010
【図９】
2019176219.tif 000011
【図１０】
2019176219.tif 000012
【図１１】
2019176219.tif 000013
【図１２】
2019176219.tif 000014